(57)【要約】【課題】送信電力制御コマンドに従っていない移動局を検出する方法を提供すること。【解決手段】この方法では、各タイム・スロットについて、所与の基地局によって測定される、受信した移動装置の信号対干渉電力比（ＳＩＲ）値が所与の平均ＳＩＲ目標値と比較される。誤り測定規準は、測定されたＳＩＲ値および平均ＳＩＲ目標値の間の差に基づいて、各タイム・スロットについて生成してよい。生成された誤り測定規準は、少なくとも１つの（または複数の）平均誤り値を決定するために、所与の継続時間全体にわたって平均してよく、少なくとも１つ、または複数の平均誤り値が所与のしきい値を上回る場合に、移動局が送信電力制御コマンドに違反しているとして決定される。【選択図】図１
2006279966.tif 000002
【特許請求の範囲】
【請求項１】
電力制御コマンドに従っていない移動局を検出する方法であって、
各タイム・スロットについて、１つの基地局が受信し測定した前記移動局の信号対干渉電力比（ＳＩＲ）値と平均ＳＩＲ目標値とを比較する工程（１１０）と、
前記測定されたＳＩＲ値と平均ＳＩＲ目標値との間の差に基づいて各タイム・スロットについて誤り測定規準を生成する工程（１２０）と、
少なくとも１つまたは複数の平均誤り値を決定するために、前記生成された誤り測定規準を継続時間全体にわたって平均する工程（１３０）と、
前記少なくとも１つまたは複数の平均誤り値が所与のしきい値を上回る場合に、前記移動局が送信電力制御コマンドに違反していると決定する工程（１５０）と
を備える方法。
【請求項２】
所与のバッファ長を有するバッファ内に前記少なくとも１つの平均誤り値を格納する工程（１４０）をさらに備え、
複数の平均ＳＩＲ誤り値が前記バッファ内に格納されており、
決定する工程が、Ｎ＝１から所与のバッファ長までのＮ個の格納された前記バッファ内の平均ＳＩＲ誤り値が前記所与のしきい値を上回る場合に、前記移動局が送信電力制御コマンドに違反していると決定することを含む、請求項１に記載の方法。
【請求項３】
送信電力制御コマンドに違反していると決定された前記移動装置が、
前記移動装置が前記送信電力制御コマンドは確実でないと決定した、
前記移動装置が基地局のそのアクティブ・セットにレッグを加えている、または
前記移動装置が基地局のそのアクティブ・セットからレッグを切り離している、
という以外の理由で前記送信電力制御コマンドに違反している、請求項１に記載の方法。
【請求項４】
偽警報の確率を低減させながら、前記移動装置にサービスを行っているネットワークにおける未知の障害のために、送信電力制御コマンドをリッスンしていない前記移動装置についての検出の確率を最大限に高めるように、前記所与の継続時間、所与のしきい値、および所与のバッファ長の値を選択する工程
をさらに備える、請求項２に記載の方法。
【請求項５】
電力制御コマンドに従っていない移動局と関連する通話を打ち切るかどうか判定する方法であって、
タイム・スロットごとに、１つの基地局が測定した前記移動局のＳＩＲ値と、平均ＳＩＲ目標値との差に基づいて誤り測定規準を生成する工程（２１０）と、
少なくとも１つまたは複数の平均誤り値を決定するために、前記生成された誤り測定規準を継続時間全体にわたって平均する工程（２２０）と、
前記少なくとも１つまたは複数の平均誤り値がしきい値を上回る場合に、前記移動局と関連する通話を打ち切る工程（２４０）と
を備える方法。
【請求項６】
打ち切る工程が、前記少なくとも１つ（または複数）の平均誤り値が所与のしきい値を上回る場合に、前記移動局が送信電力制御コマンドに違反していると決定することを含む、請求項５に記載の方法。
【請求項７】
送信電力制御コマンドに違反していると決定された前記移動装置が、
前記移動装置が前記送信電力制御コマンドは確実でないと決定した、
前記移動装置が基地局のそのアクティブ・セットにレッグを加えている、または
前記移動装置が基地局のそのアクティブ・セットからレッグを切り離している、
という以外の理由で前記送信電力制御コマンドに違反している、請求項６に記載の方法。
【請求項８】
前記少なくとも１つの平均誤り値を所与のバッファ長を有するバッファ内に格納する工程（２３０）
をさらに備える、請求項５に記載の方法。
【請求項９】
複数の平均ＳＩＲ誤り値が前記バッファ内に格納され、
打ち切る工程が、Ｎ＝１から所与のバッファ長までのＮ個の格納された平均ＳＩＲ誤り値が前記所与のしきい値を上回る場合に、前記移動局が送信電力制御コマンドに違反していると決定することを含む、
請求項８に記載の方法。
【請求項１０】
偽警報の確率を低減させながら、前記移動装置にサービスを行っているネットワークにおける未知の障害のために、送信電力制御コマンドをリッスンしていない前記移動装置についての検出の確率を最大限に高めるように、前記所与の継続時間、しきい値、バッファ長、およびそのバッファ内のしきい値を上回っている誤りの数についての値を選択する工程
をさらに備える、請求項８に記載の方法。
【発明の詳細な説明】
【技術分野】
【０００１】
本発明は一般に、無線通信システムまたはネットワークにおいて受信した送信電力制御コマンドに従っていない移動局を検出する方法に関する。
【背景技術】
【０００２】
無線通信システムは通常、複数の基地局を含み、１局または複数の基地局が一般にセルと呼ばれる地理的地域でサービスを行うことができる。無線通信システムのユーザは、互いに、かつ／または通信システムと通信することができる。基地局における物理的装置は、システム装置と呼ぶことができる。無線通信システムにおいて通信は、２台の移動局（例えば、２台の携帯電話、ワイヤレス・コンピュータ、携帯情報端末（ＰＤＡ）等）の間ならびに／または移動装置（ｍｏｂｉｌｅｓ）およびシステム装置の間で発生し得る。
【０００３】
通信システムは通常、政府および／または業界団体によって公表されている既定の規則に従って動作することができる。これらの規則は通常、無線通信システムが従うべき規格として制定される。この規格は、無線通信システムの運用を規定するさまざまなプロトコルを含む可能性がある。一般に、プロトコルは、所与の通信システム内において（音声および／またはデータ）通信がどのように開始され、維持され、かつ／または終結されるのかを指定することができる一連の規則として解釈してよい。
【０００４】
ある基地局によってサービスが行われている特定のセル内に位置する移動装置は、その基地局を介して他の移動装置および／または他の通信システムと通信する。移動装置からの信号は、その移動装置が位置するセルの基地局を介して受信側の移動装置または他の通信システムに送信される可能性がある。
【０００５】
移動装置が異なる基地局によってサービスが行われているセル間を移動するとき、その移動装置からの通信は異なる基地局によって処理される可能性がある。例えば、１つのセルから別のセルに移動している移動装置の通信は、そのセルの１つの基地局から別の基地局に移転される可能性がある。移動装置の通信が１つの基地局（すなわち、「元の」基地局）から別の基地局（すなわち、「標的」基地局）に移転される工程は、「ハンドオフ」として知られている。サービスを行っているセルの端および標的セル付近またはその近傍に位置する移動装置は通常、隣接する基地局の通信信号の相対的強度に応じて、標的セルにハンドオフを要求する。
【０００６】
無線通信システムまたはネットワークにおいて、基地局は通常、周期的にパイロット信号を送信することができる。移動装置はこれらのパイロット信号を受信し、その強度を測定するように設定することができる。移動装置は、基地局のパイロット信号の相対的な測定強度に基づいて１局または複数の基地局にハンドオフを要求することができる。またネットワークも、所与の移動装置から受信する周期的な測定報告に基づいて、または所与の移動装置が接続しているセルにおける混雑などの他の理由で、ハンドオフ手順を引き起こすことができる。
【０００７】
符号分割多次元接続方式（ＣＤＭＡ）システムなどのスペクトラム拡散に基づいたいくつかの無線通信システムで用いられる１つの様式のハンドオフは、ソフト・ハンドオフと呼ばれる。ソフト・ハンドオフでは、標的基地局との通信は、元の基地局との通信が終結される前に確立することができる。また、ソフト・ハンドオフ中、移動装置は通常、複数の基地局と同時に通信することができる。こうすることにより、移動装置において発着する通信の中断が発生しない。やがてソフト・ハンドオフが終結すると、移動装置は標的基地局を介して他の移動装置または他の通信システムと通信する。
【０００８】
送信電力制御は、干渉を低減し、かつ／または所望の目標ブロック誤り率を保証するために、ＣＤＭＡシステムの下り（基地局から移動装置）および上り（移動装置から基地局）の両方で用いられる。各専用チャネルには、送信電力を制御する閉ループが存在する。これは一般にインナー・ループ送信電力制御として知られている。
【０００９】
下り側での電力制御のために、移動装置は受信した信号対干渉電力比（ＳＩＲ）を測定し、測定したＳＩＲが所与のしきい値を下回っている場合には、上りに送信電力増加コマンドを発してよい。反対に測定したＳＩＲがしきい値を上回っている場合には、移動装置は、基地局に対して上りに送信電力低下コマンドを発する。この送信電力制御コマンド（ＴＰＣ）は、移動装置が接続されている基地局に周期的に送信されてよい。このＴＰＣの周期は、タイム・スロット（ｓｌｏｔ）または送信電力制御グループ（ｐｏｗｅｒ  ｃｏｎｔｒｏｌ  ｇｒｏｕｐ）と呼ぶことができる。移動装置がソフト・ハンドオフ状態にある場合、その移動装置と通信する全ての基地局が上りに送信されるＴＰＣコマンドを受信する。
【００１０】
上り側での電力制御のために、各基地局は、受信した所与の移動装置のＳＩＲを測定し、測定したＳＩＲが所与のしきい値を下回っている場合には、その移動装置に対して下りに送信電力増加コマンドを発してよい。このしきい値は、「ＳＩＲ目標」と呼ぶことができる。測定したＳＩＲがＳＩＲ目標を上回っている場合には、基地局は送信電力低下コマンドを発する。ＳＩＲ目標自体は、受信した移動装置からのブロックにおける誤りの回数に基づいて調節されてよい。受信したブロックが誤ったものである場合には、ＳＩＲ目標が上げられ、反対に受信ブロックが誤ったものでない場合にはＳＩＲ目標が下げられる。
【００１１】
ソフト・ハンドオーバー中には、複数の基地局が移動装置にＴＰＣコマンドを送信してよい。移動装置が各基地局から受信する様々なＴＰＣコマンドによってその送信電力を変更してよい、いくつかの方法が存在する。総則として、１局の基地局が送信電力低下コマンドを送信し、かつそのコマンドが移動装置において確実に受信された場合には、移動装置はその送信電力を低下させて、その他のコマンドを無視する。これが行われるのは、他のユーザのために干渉を低減しながら、１局の基地局がデータを正しく復号するだけで通常十分であるからである。同様の理由から、総則として、確実に受信されたＴＰＣコマンドの全てが送信電力増加コマンドである場合には、移動装置はその送信電力を増加させる。
【００１２】
ところが移動装置が基地局のうちのいくつかからのＴＰＣコマンドを無視する状況が存在し得る。第一の理由は、受信したＴＰＣコマンドが確実でない場合とすることができる。移動装置は、受信したコマンドが確実でない場合には、そのＴＰＣコマンドを無視する可能性がある。確実性の基準は、例えば、移動装置において指定されてよい。この状況は通常、ハンドオフ中の、受信した、いくつかの基地局からの信号が弱く、受信したＴＰＣコマンドが確実でないときによくある。受信側の移動装置は、品質測定規準を採用してよく、その測定規準を所与のしきい値と比較して、そのＴＰＣコマンドを用いるか、または無視するかを判断する。この比較は、単信モード（非ハンドオフ・モード）での運用において、または移動装置がハンドオフ・モードにある場合に応用可能である。
【００１３】
移動装置が１局または複数の基地局からのＴＰＣコマンドを無視し得るもう１つの状況は、ネットワーク側の（所与の移動装置と通信する基地局の）アクティブ・セット（ａｃｔｉｖｅ  ｓｅｔ）に新しいレッグ（新しい基地局）が加えられる場合である。この状況において、ネットワークにおける無線ネットワーク制御装置（ＲＮＣ）は、移動装置に対して、そのアクティブ・セットを更新するようにメッセージを送信する。ネットワーク側のアクティブ・セットに新しいレッグが加えられる間、移動装置がそのアクティブ・セットを更新するまで、新しいレッグから送信されるＴＰＣコマンドは、その移動装置において無視される。
【００１４】
移動装置が１局または複数の基地局からのＴＰＣコマンドを無視し得るもう１つの状況は、移動装置がレッグを切り離す場合である。レッグを切り離すための信号送信の手順は、一般に次のように説明することができる。ＲＮＣがレッグを切り離すことを決定すると、メッセージが移動装置に対して下りに送信される。そのレッグをそのアクティブ・セットから切り離した後、移動装置は、確認メッセージをネットワークに対して上りに送信する。ＲＮＣは、移動装置から確認を受け取るとアクティブ・セットを更新する。移動装置がそのアクティブ・セットを更新する時から切り離される基地局（レッグ）が移動装置に対するその送信を停止するまでの間、切り離されることになるそのレッグからのＴＰＣコマンドは移動装置によって無視される。
【発明の開示】
【発明が解決しようとする課題】
【００１５】
上述の場合、すなわちＴＰＣコマンドが確実でない場合、または移動装置がレッグを加える場合、もしくは切り離す場合の何れにも該当しない状況が発生する場合、移動装置は基地局から受信したコマンドに従わなければならない。したがって、移動装置が、なにか別の理由で下りのＴＰＣコマンドを無視する場合、ＲＮＣはその移動装置を突き止めて、切り離すことができなければならない。さもなければ、その移動装置は、不必要に高い送信電力で送信を行う恐れがあり、これは上りの干渉を増大させて、システムまたはネットワーク容量の低下の原因となる恐れがある。
【課題を解決するための手段】
【００１６】
本発明の１つの実施形態は、送信電力制御コマンドに従っていない移動局を検出する方法に関する。この方法では、各タイム・スロットについて、所与の基地局によって測定される、受信した移動装置の信号対干渉電力比（ＳＩＲ）値が所与の平均ＳＩＲ目標値と比較される。誤り測定規準は、測定されたＳＩＲ値と平均ＳＩＲ目標値との差に基づいて各タイム・スロットについて生成してよい。生成された誤り測定規準は、少なくとも１つの（または複数の）平均誤り値を決定するために、所与の継続時間全体にわたって平均してよく、少なくとも１つの（または複数の）平均誤り値が所与のしきい値を上回る場合に、移動局が送信電力制御コマンドに違反していると決定される。
【００１７】
本発明のもう１つの実施形態は、送信電力制御コマンドに従っていない移動装置と関連する通話を打ち切るかどうか判定する方法に関する。この方法では、誤り測定規準は、所与の基地局における、測定された移動装置のＳＩＲ値と、所与の平均ＳＩＲ目標値との差に基づいて、タイム・スロットごとに生成してよい。生成された誤り測定規準は、少なくとも１つの（または複数の）平均誤り値を決定するために、所与の継続時間全体にわたって平均してよい。少なくとも１つの（または複数の）平均誤り値が所与のしきい値を上回る場合に、移動装置と関連する通話が打ち切られる。
【００１８】
本発明の実施形態は、本明細書の以下に記載の詳細な説明および添付の図面から十分に理解されよう。図中、同じ要素は同じ符号によって表されている。これらの図面は単に例示として提供されており、したがって、本発明の実施形態を制限するものではない。
【発明を実施するための最良の形態】
【００１９】
以下の説明は、ＣＤＭＡ（ＩＳ９５、ｃｄｍａ２０００および様々な技術変形形態）、ＵＭＴＳ（リリース９９、Ｒ４、Ｒ５、Ｒ６および上位リリース）、ＧＳＭ，８０２．１１および／または関連技術のうちの１つまたは複数の技術に基づいたネットワークに関し、この例示的な状況において説明されるが、本明細書において示され説明される実施形態は、単に例示とすることを意図したものであり、決して制限するものではないということに留意されたい。したがって、様々な開発段階にあってよく、かつ上述のネットワークまたはシステムに将来取って代わるもの、または併用するものとすることが意図されていてよい、上述以外の技術に基づいた通信システムまたはネットワークへの応用のための様々な変更が当業者には明白となろう。
【００２０】
本明細書では、移動装置または移動局という用語は、移動装置ユーザ、ユーザ装置（ＵＥ）、ユーザ、加入者、無線端末装置、および／またはリモート局の同意語であるとしてよく、無線通信ネットワークにおける無線リソースのリモート・ユーザを表してよい。以下における使用では、基地局という用語は、ベース・トランシーバ基地局またはノードＢの同意語であり、通信ネットワークおよび１局または複数の移動局の間の音声および／またはデータ接続性を提供する装置を表してよい。
【００２１】
一般に、本発明の実施形態は、下りのＴＰＣコマンドに従っていない１台または複数の移動装置を突き止めること、または検出することを容易にすることができる方法に関する。またこの実施形態は、ネットワークにとって未知であってよい何らかの障害によって、所与の移動装置がネットワークからのＴＰＣコマンドに従わない場合に、その移動装置と関連する通話を打ち切ることができる方法をも紹介する。
【００２２】
どの検出問題においてもそうであるように、ここで提案する方法は、偽警報（上述の３つの状況における移動装置の検出）の確率を低減し、（上述の３つの状況のうちの何れにも一致しない、ＴＰＣコマンドを無視している移動装置の）検出の確率を最大限に高めるように適応させることができる。
【００２３】
一般に、閉ループによる送信電力制御中の移動装置の正常な動作のためには、送信電力増加コマンドおよび送信電力低下コマンドが混在していなければならない。通常、各タイム・スロット（１つのＴＰＣコマンドを含めた、ある制御情報が送信される最短継続時間）は、１つの増加コマンドまたは１つの低下コマンドを含む。したがって、タイム・スロットの継続時間と比較して十分に長い時間間隔（ｗｉｎｄｏｗ）における増加コマンドおよび低下コマンドの合計の絶対値はゼロに近づかなければならない。
【００２４】
図１は、本発明の実施形態に記載の、送信電力制御コマンドに従っていない移動局を検出する方法を説明する流れ図である。図１において示されるように、方法１００においては、移動装置にサービスを行っている基地局の受信装置によって全てのタイム・スロットにおいて（タイム・スロットごとに）測定された、受信したＳＩＲ値（ＳＩＲａｃｔｕａｌ）が平均ＳＩＲ目標値（ＳＩＲｔａｒｇｅｔ＿ａｖｅ）と比較（１１０）される。これらの２つの測定規準の差は、ＳＩＲｅｒｒと呼ばれる誤り測定規準の生成（１２０）に使用してよい。ＳＩＲｅｒｒは、ＳＩＲｅｒｒ＿ａｖｅと呼ぶことができる平均ＳＩＲｅｒｒ値を決定するために、「Ａｖｇ＿Ｔｉｍｅ」と呼ばれる所与の周期または継続時間全体にわたって平均（１３０）してよい。
【００２５】
次いでＳＩＲｅｒｒ＿ａｖｅ値は、「Ｂｕｆｆｅｒ＿Ｌｅｎ」と呼ばれる所与のバッファ長を有する先入れ先出し（ＦＩＦＯ）バッファに格納（１４０）してよい。格納された、ＦＩＦＯバッファ内の平均ＳＩＲ誤り（ＳＩＲｅｒｒ＿ａｖｅ）値の少なくとも１つ、いくつか（または全て）が本明細書において「Ｅｒｒ＿Ｔｈｒｅｓｈｏｌｄ」と呼ばれる所与のしきい値を上回る場合に、移動装置はネットワークにおける何らかの未知の障害のために送信電力制御コマンドに違反していると決定（１５０）される。送信電力制御違反の報告に必要とされるバッファ内の、Ｅｒｒ＿Ｔｈｒｅｓｈｏｌｄを上回っているＳＩＲｅｒｒ＿ａｖｅ値の数は、Ｎ＿Ｅｒｒ＿ＳＩＲと呼ぶことができる。例えば、Ｎ＿Ｅｒｒ＿ＳＩＲは、１からＢｕｆｆｅｒ＿Ｌｅｎの間のどの値に設定してもよい。
【００２６】
送信電力制御コマンドに違反していると決定された移動装置は、このように上述の３つの状況、すなわち移動装置が送信電力制御コマンドは確実でないと決定した、移動装置が基地局のそのアクティブ・セットにレッグを加えている、または移動装置が基地局のそのアクティブ・セットからレッグを切り離しているという状況以外の理由で送信電力制御コマンドに違反している場合がある。
【００２７】
パラメータＥｒｒ＿Ｔｈｒｅｓｈｏｌｄ、Ａｖｇ＿Ｔｉｍｅ、Ｎ＿Ｅｒｒ＿ＳＩＲ、およびＢｕｆｆｅｒ＿Ｌｅｎは、必要に応じて所与の値に事前に設定してよい。これらのパラメータの選択では、偽警報の確率を最小限に抑えながら、または低減させながら、ネットワークにおける未知の障害のためにＴＰＣコマンドをリッスンしていない移動装置についての検出の確率を最大限に高めるように、Ｅｒｒ＿Ｔｈｒｅｓｈｏｌｄ、Ａｖｇ＿Ｔｉｍｅ、Ｎ＿Ｅｒｒ＿ＳＩＲ、およびＢｕｆｆｅｒ＿Ｌｅｎを選ばなければならない。
【００２８】
一般に、これらの４つのパラメータに実質的に小さな値（すなわち、Ａｖｇ＿Ｔｉｍｅ＝１タイム・スロット、Ｎ＿Ｅｒｒ＿ＳＩＲ＝１、Ｂｕｆｆｅｒ＿Ｌｅｎ＝１、Ｅｒｒ＿Ｔｈｒｅｓｈｏｌｄ＝０）を選択すると、移動装置が目標ＳＩＲを上回る所与のタイム・スロットが常に存在し得ることを認識することが比較的容易である。したがって、全ての移動装置が違反しているものと見なされ、これは偽警報（すなわち、上述の３つの状況（確実でないＴＰＣコマンド、レッグの追加、レッグの切り離し）に含まれる良い移動装置を却下すること）の確率を高める恐れがある。一方で、実質的に大きなＥｒｒ＿Ｔｈｒｅｓｈｏｌｄ、Ａｖｇ＿Ｔｉｍｅ、Ｎ＿Ｅｒｒ＿ＳＩＲ、およびＢｕｆｆｅｒ＿Ｌｅｎの値を選択することは（すなわち、Ａｖｇ＿Ｔｉｍｅ・Ｂｕｆｆｅｒ＿Ｌｅｎが１分間に等しく、Ｎ＿Ｅｒｒ＿ＳＩＲ＝Ｂｕｆｆｅｒ＿Ｌｅｎで、かつ移動装置が１台も検出されないようにＥｒｒ＿Ｔｈｒｅｓｈｏｌｄが考えられる最大のＳＩＲ目標を上回る、１つの実施例においては）、検出の確率を低下させる恐れがあり、容量損失を生じる恐れがある。したがって、上述のパラメータの選択は、当然上述の要素の原因となる。
【００２９】
図２は、本発明の実施形態に記載の、送信電力制御コマンドに従っていない移動局と関連する通話を打ち切るかどうか判定する方法を説明する流れ図である。図２における機能は図１と多少類似することから、簡潔にするために詳細な説明は省略する。図２に示される方法２００では、誤り測定規準ＳＩＲｅｒｒは、測定された、所与の基地局における移動装置のＳＩＲ値（ＳＩＲａｃｔｕａｌ）と、所与の平均ＳＩＲ目標値（ＳＩＲｔａｒｇｅｔ＿ａｖｅ）との差に基づいてタイム・スロットごとに生成（２１０）してよい。生成されたＳＩＲｅｒｒ測定規準は、少なくとも１つの平均誤り値（ＳＩＲｅｒｒ＿ａｖｅ）を決定するために、所与の継続時間全体にわたって平均（２２０）してよく、上述のように、あるＢｕｆｆｅｒ＿Ｌｅｎサイズを有するＦＩＦＯバッファ内に格納（２３０）してよい。格納された平均誤り値のうちの少なくとも１つ（いくつか、または全て）が所与のしきい値を上回る場合に、その移動装置と関連する通話が打ち切られる（２４０）。送信電力制御コマンド違反を報告するのに必要とされるバッファ内の、Ｅｒｒ＿Ｔｈｒｅｓｈｏｌｄを上回っているＳＩＲｅｒｒ＿ａｖｅ値の数は、Ｎ＿Ｅｒｒ＿ＳＩＲとして既知である。Ｎ＿Ｅｒｒ＿ＳＩＲが１からＢｕｆｆｅｒ＿Ｌｅｎの間の何れの値にも設定可能であるということは、明白である。別の実施例では、少なくともＮ＿Ｅｒｒ＿ＳＩＲ個（Ｎ＿Ｅｒｒ＿ＳＩＲ＝１、．．．Ｂｕｆｆｅｒ＿Ｌｅｎ）の、最後のＢｕｆｆｅｒ＿Ｌｅｎ（Ｂｕｆｆｅｒ＿Ｌｅｎ≧１）からの、算出したＳＩＲｅｒｒ＿ａｖｅ値である平均誤り値（すなわち、Ｎ＿Ｅｒｒ＿ＳＩＲ個のＳＩＲｅｒｒ＿ａｖｅ値）がＥｒｒ＿Ｔｈｒｅｓｈｏｌｄを上回る場合に、移動装置は違反装置（ｖｉｏｌａｔｏｒ）として決定され、通話が打ち切られる。
【００３０】
ここで提案する方法の利点のうちの１つは、この方法がフェーディング・チャネル変化の影響を受けないことが可能であることである。フェーディング・チャネルでは、受信したＳＩＲがかなりの量で急激に増加または低下することがある。これは連続的ないくつかの送信電力増加または低下コマンドの原因となる場合がある。ここで提案する方法はこれらの急激な変化の影響を受けない。本方法において用いられている測定規準は、基地局における受信した信号の瞬間的な急激な変化を平均する、望ましい、所与の継続時間に対する平均値である。
【００３１】
例えば、従来の方法は、基地局によって移動装置に対して送信される連続する送信電力低下コマンドの回数を数えるものである。次いでこの回数がしきい値と比較される。連続する送信電力低下コマンドの回数がこのしきい値を上回る場合に、その移動装置は違反しているものと言明される。複数の送信電力低下コマンドが連続して送信されることにつながる様々な状況（明らかな状況の１つは、移動装置が最低送信電力で送信を行っており、基地局に地理的に近いというものである）が無数に存在することから、偽警報の低い確率を達成するためにはしきい値を実質的に大きな数値に設定しなければならない。ディープ・フェーディングは、たとえ短時間であっても、（受信したＳＩＲ測定値が低いことによる）基地局による送信電力増加コマンドの生成につながることがあるため、従来の方法は、実質的に低い検出の確率を有する。この送信電力増加コマンドの生成がカウンタの不必要なリセットにつながる。
【００３２】
ここで提案する方法の利益は、下りの送信電力制御コマンドへの移動装置の違反を高い確率で検出するように調節することが可能なパラメータ（Ｅｒｒ＿Ｔｈｒｅｓｈｏｌｄ、Ａｖｇ＿Ｔｉｍｅ、Ｎ＿Ｅｒｒ＿ＳＩＲ、およびＢｕｆｆｅｒ＿Ｌｅｎ）を含む。ここで提案する方法は、正常な動作によって移動装置が基地局からのＴＰＣコマンドを無視する場合の（すなわち、移動装置が単信モードまたは非ハンドオフ・モードにある場合の）偽警報の確率を低減するように助けることが可能である。これは、一部には、ここで提案する方法がチャネル変化（フェーディング環境）の影響を受けないという事実によるものであるとすることができる。
【００３３】
さらに、パラメータＥｒｒ＿Ｔｈｒｅｓｈｏｌｄ、Ａｖｇ＿Ｔｉｍｅ、Ｎ＿Ｅｒｒ＿ＳＩＲ、およびＢｕｆｆｅｒ＿Ｌｅｎは、上述の偽警報の状況の何れの継続時間よりも長い継続時間を有するように選択することが可能である。例えば、あるＵＭＴＳネットワークでは、この継続時間は４×８０ミリ秒（ｍｓ）を上回ってはならないことから、偽警報の確率（ＰＦＡ）を事実上ゼロに低減する。後述の発明者によるシミュレーションでは、２０分間または１２万フレームについて観察されたＰＦＡは０に等しく、これは８．３３×ｅ−６以下の偽警報の確率を示唆する。
（例示的なシミュレーション）
【００３４】
上記において一般的に説明したように、移動装置が送信電力制御コマンドを無視している場合がある、実施例システム（ＵＭＴＳネットワークなど）における１つの状況は、ＵＭＴＳ  Ｔｅｒｒｅｓｔｒｉａｌ  Ｒａｄｉｏ  Ａｃｃｅｓｓ  Ｎｅｔｗｏｒｋ（ＵＴＲＡＮ）側でそのアクティブ・セットが更新される場合である。本状況では、アクティブ・セットを更新するように、ＲＮＣは「Ｌ３＿ＡＣＴＩＶＥ＿ＳＥＴ＿ＵＰＤＡＴＥ」などの更新メッセージをＵＥ（移動装置）に対して送信する。このとき８０ミリ秒以上の遅延が起こることがあり、この間、ＵＥのアクティブ・セットに更新されている新しいノードＢ（基地局）は送信を行い、ＵＥは（追加または入れ換え（ｓｗａｐｐｉｎｇ）の間のみ）そのノードＢからのＴＰＣコマンドをリッスンしない。この遅延は、例えば、再送信遅延のために無線接続状態が悪い場合に増大することがある。
【００３５】
上り（ＵＬ）同期の前に、新しいレッグ（新しいノードＢ）は、送信電力全増加コマンドを送信する。ＵＬ同期の後、下り（ＤＬ）におけるＴＰＣコマンドは、ＵＥがそのアクティブ・セットを更新する時点まで無視されることになる。
【００３６】
上記で一般的に説明したもう１つの状況は、ＵＥがレッグを切り離し、ＵＴＲＡＮがＵＥからのコマンド「Ｌ３＿ＡＣＴＩＶＥ＿ＳＥＴ＿ＵＰＤＡＴＥ−ＣＮＦ」などのレッグを切り離す更新メッセージを待っている場合である。ＵＥはこの間、そのレッグからのＴＰＣコマンドを無視する。上述のように、ノードＢによって測定されるＳＩＲおよび平均目標ＳＩＲの間の差は、以下の式によって示されるようにＳＩＲｅｒｒを決定するために観察することが可能である。
ＳＩＲｅｒｒ＝ＳＩＲａｃｔｕａｌ−ＳＩＲｔａｒｇｅｔ＿ａｖｅ
【００３７】
上記の式で、ＳＩＲｅｒｒおよびＳＩＲｔａｒｇｅｔ＿ａｖｅは、同一の、所与の継続時間全体にわたって平均される。この所与の継続時間は、測定周期または時間間隔と呼ぶことができる。平均するための時間間隔は、例えば８０ミリ秒に設定してよいが、この実施形態は８０ミリ秒の時間間隔に制限されるものではない。１つの実施例では、平均ＳＩＲ誤り値（ＳＩＲｅｒｒ＿ａｖｅ）がしきい値Ｅｒｒ＿Ｔｈｒｅｓｈｏｌｄよりも所与の継続時間、すなわちＮ＿Ｅｒｒ＿ＳＩＲ＝Ｂｕｆｆｅｒ＿Ｌｅｎまでの連続する測定周期にわたって大きい場合に、違反が検出される（すなわち、そのＵＥがＴＰＣコマンドを無視しているとして検出される）。ＳＩＲｅｒｒ＿ａｖｅは、システム統合のための現行のワン・チップＡＳＩＣソリューションにおけるパラメータとして、Ａｖｇ＿Ｔｉｍｅ＝８０ミリ秒ごとに容易に入手できることから、この決定は、所望の処理速度で最小限の算出の複雑さで行うことが可能である。
【００３８】
図３および４は、本発明の実施形態に記載の検出方法のシミュレーションからの結果を例示するグラフである。
図３および４のグラフは、偽警報の回数の関数として、ＳＩＲｅｒｒ＿ａｖｅがＥｒｒ＿Ｔｈｒｅｓｈｏｌｄを上回る連続する、８０ミリ秒の時間間隔の数（ｎ＝Ｎ＿Ｅｒｒ＿ＳＩＲ−Ｂｕｆｆｅｒ＿Ｌｅｎ）を例示している。以下の表１は、ＵＭＴＳネットワークにおける所与の移動装置およびノードＢの例示的なシミュレーションについてのパラメータのセットを列挙している。
【表１】
2006279966.tif 000003
【００３９】
このシミュレーションは、時速１００キロメートルおよび時速３００キロメートルの移動装置の速度で２０分間にわたって行われた。この２０分間という時間は、１回の通話の典型的時間を示した。変化させたシミュレーションパラメータは、Ｅｒｒ＿ＴｈｒｅｓｈｏｌｄおよびＢｕｆｆｅｒ＿Ｌｅｎを含んでいた。Ｅｒｒ＿Ｔｈｒｅｓｈｏｌｄについて評価を行った値の範囲は、０．５ｄＢ間隔での０ｄＢから２ｄＢの間であった。Ｂｕｆｆｅｒ＿Ｌｅｎについて評価を行った値の範囲は、１から１６の間であった。このシミュレーションのために、２０分間の通話の継続時間にわたって偽警報の回数を数えて、Ｂｕｆｆｅｒ＿Ｌｅｎの関数としてグラフで表した。Ｎ＿Ｅｒｒ＿ＳＩＲは、常にＢｕｆｆｅｒ＿Ｌｅｎと等しくなるように設定した。
【００４０】
この例示的なシミュレーションから分かるように、偽警報の回数は、偽警報を数えるＢｕｆｆｅｒ＿Ｌｅｎ、すなわち、ＳＩＲｅｒｒ＿ａｖｅがＥｒｒ＿Ｔｈｒｅｓｈｏｌｄを上回る、連続する８０ミリ秒の時間間隔または測定周期の数に、より敏感である可能性がある。実施例のグラフで示されるように、しきい値は、Ｅｒｒ＿Ｔｈｒｅｓｈｏｌｄが０．５ｄＢを上回っている限りでは、結果をあまり変化させない。これらの特定のシミュレーションにおける時速１００キロメートルまでの移動装置の速度についてのＢｕｆｆｅｒ＿Ｌｅｎの推奨値は、少なくとも７であると示されている。時速３００キロメートルの移動装置の速度について、Ｂｕｆｆｅｒ＿Ｌｅｎは、少なくとも１２となるように選択してよい。
【００４１】
しかしながら、Ｂｕｆｆｅｒ＿Ｌｅｎ、Ｎ＿Ｅｒｒ＿ＳＩＲ、Ｅｒｒ＿Ｔｈｒｅｓｈｏｌｄ、およびＡｖｇ＿Ｔｉｍｅの選択は、ネットワークに依存する。したがって、上記の方法は、ＣＤＭＡ（ＩＳ９５、ｃｄｍａ２０００および様々な技術変形形態）、ＵＭＴＳ（リリース９９、Ｒ４、Ｒ５、Ｒ６および上位リリース）、ＧＳＭ，８０２．１１および／または関連技術のうちの１つまたは複数の技術に基づいたネットワークに採用することが可能であり、これらのネットワークには、様々な開発段階にあってよく、かつ上述のネットワークまたはシステムに将来取って代わるもの、または併用するものとすることが意図されていてよい、上述以外の技術に基づいた通信システムまたはネットワークが含まれる。
【００４２】
したがって、この例示的な方法において用いられたパラメータＥｒｒ＿Ｔｈｒｅｓｈｏｌｄ、Ａｖｇ＿Ｔｉｍｅ、Ｎ＿Ｅｒｒ＿ＳＩＲ、およびＢｕｆｆｅｒ＿Ｌｅｎは、基地局の受信装置において使用することが可能であることから、特定の移動装置に依存しない。よって本明細書に記載の例示的な手法は、十分に高い費用効果を有しながら、容量の損失を避けるために十分に有効となり得る。
【００４３】
本発明の実施形態がこのように説明されたことにより、同一のものを多様に改変することができることが明らかとなるであろう。かかる諸変形形態は、本発明の実施形態の精神および範囲から外れるものとして見なすべきではなく、当業者に明らかであるはずのかかる全ての変更形態は、冒頭の特許請求の範囲に含むものとする。
【図面の簡単な説明】
【００４４】
【図１】本発明の実施形態に記載の、送信電力制御コマンドに従っていない移動局を検出する方法を説明した流れ図である。
【図２】本発明の実施形態に記載の、送信電力制御コマンドに従っていない移動局と関連する通話を打ち切るかどうか判定する方法を説明した流れ図である。
【図３】本発明の実施形態に記載の検出方法のシミュレーションからの結果を例示したグラフである。
【図４】本発明の実施形態に記載の検出方法のシミュレーションからの結果を例示したグラフである。
【図１】
2006279966.tif 000004
【図２】
2006279966.tif 000005
【図３】
2006279966.tif 000006
【図４】
2006279966.tif 000007